(57)【要約】【課題】  プラグがコンセントから抜けかけていても、電極部分には電気が流れ続けており、危険な状態が長期間放置される可能性があった。【解決手段】  プラグ側電極としてのプラグブレード（１）の先にあいている穴（３）に容易に納まる大きさの曲面を持つ絶縁体（４）を、コンセント側電極としての導電片（２）の双方の先端部に曲面が向い合うように取付ける。【選択図】  図１
2005294235.tif 000002
【特許請求の範囲】
【請求項１】
プラグ側電極としてのプラグブレード（１）の先端にあいている穴（３）に容易に納まる大きさの、曲面を持つ絶縁体（４）を、コンセント側電極としての導電片（２）の先端部に曲面が向い合うように取り付けたことを特徴とする危険防止電気コンセント。
【発明の詳細な説明】
【技術分野】
【０００１】  本発明は、差し込んだ電源プラグに電力を供給する電気コンセント、特にプラグブレードをレセプタクルの奥まで差し込んだとき電力の供給が行われる構造の危険防止電気コンセントに関するものである。
【背景技術】
【０００２】  従来、家庭用の電力供給用コンセントやテーブルタップのような電気コンセントは、電源プラグ（以下単にプラグ）を差し込むことで電力の供給が行われる構造となっている。【０００３】  従来のコンセントは、レセプタクルに電力供給用電極（中間端子）としての導電片を有し、プラグを差し込んだとき、そのプラグ側電極（接続端子）としてのプラグブレードが弾性的に導電片と接触して、電力の供給が行われる構造となっている。【０００４】  すなわち、導電片はレセプタクルに固定されたＵ字状の金属製板バネからなる。これは、コンセントの電力供給を行う電極部分に金属の導電片を用い、プラグの脱落を防止するために、この導電片を板バネでプラグの電極を挟む構造としたものである。【０００５】  このような導電片の構造の結果、従来の電気コンセントは、プラグが奥まで差し込まなくてもプラグが脱落せず、電気を供給できる構造となっている。
【特許文献１】特開２００３−３０８９１６
【発明の開示】
【発明が解決しようとする課題】
【０００６】  しかし、上記の状態ではプラグが抜けかかっている状態、つまり差し込みが不完全でプラグブレードの一部がレセプタクルから露出している状態でありながら、まだ電気的接触がなされていることを意味するものである。すなわち、露出部分に電気が流れているという危険な状態でありながら、電気の需要家から見ると電気が断たれた訳ではないので、気付かずにそのまま長期間放置される可能性がある。【０００７】  このため、従来の電気コンセントの構造では、プラグが奥まで差し込まれていない状態で露出しているプラグの電極部分に、伝導体が接触した場合、その部分で短絡が発生し、火災などの事故を引き起こす可能性がある。【０００８】  また、家庭用冷蔵庫などの大型電化機器などでは、露出部分に埃がたまりやすく、長期間の低温加熱により、埃が炭化し短絡が発生して火災を発生する可能性もある。【０００９】  そこで、本発明の目的は、上記課題を簡単な構造により解決した、プラグをコンセントの奥まで差し込まないと電力供給を行わないようにした構造の危険防止電気コンセントを提供することである。
【課題を解決するための手段】
【００１０】    上記目的を達成するため、本発明は、次のように構成したものである。【００１１】    プラグ側電極としてのプラグブレード（１）の先にあいている穴（３）に容易に納まる大きさの、曲面を持つ絶縁体（４）を、コンセント側電極としての導電片（２）の先端部に曲面が向い合うように取付けることにより、レセプタクル（６）にプラグ（５）を差し込んだとき、その導電片（２）の絶縁体（４）にあたり、プラグブレード（１）がその両方の絶縁体（４）を弾性的に押し広げて、やがてプラグブレード（１）の先にあいている穴（３）に絶縁体（４）が納まり、その時初めてプラグブレード（１）と導電片（２）が接触し電気の供給がなされることを特徴とする。【００１２】  このような機能を有するコンセントは、プラグ電極に電力を供給するコンセント側の電極にプラグ（５）が奥まで差し込まれていない状態、つまり途中までしか差し込まれていない状態では、プラグブレード（１）は絶縁体（４）に接触するだけで導電片（２）とは直接触れ合わないという構造を特徴とする。【００１３】  従って、本発明の危険防止電気コンセントによれば、プラグブレード（１）をレセプタクル（６）の奥まで差し込んだとき初めて電力の供給が行われる構造、つまりプラグ（５）を奥まで差し込まないと電力供給をなされない構造の危険防止電気コンセント、例えば家庭用コンセントが得られる。【００１４】  本発明の危険防止電気コンセントは、プラグ（５）を奥まで差し込まないと電力供給がなされない構造であり、従来のようにプラグ（５）の電極が通電状態で露出することがないため、冷蔵庫、洗濯機などの大型家電製品の裏に配設された場合でも、埃による短絡事故を未然に防止することができる。【００１５】  本発明の危険防止電気コンセントは、電力供給を独立したスイッチを有せず、電力供給の可、不可をプラグ（５）の差し込みのみで行う構造のコンセントとしても使用することができる。【００１６】  また、本発明の危険防止電気コンセントは、簡単な構造なので、安価にできる上故障しにくいということがいえる。
【発明の効果】
【００１７】  プラグ側電極としてのプラグブレード（１）の先にあいている穴（３）に容易に納まる大きさの、曲面を持つ絶縁体（４）を、コンセント側電極としての導電片（２）の双方の先端部に曲面が向い合うように取付ける構造とし、レセプタクル（６）にプラグ（５）を差し込んだとき、その導電片（２）の絶縁体（４）にあたり、プラグブレード（１）がその両方の絶縁体（４）を弾性的に押し広げて、やがてプラグブレード（１）の先にあいている穴（３）に絶縁体（４）が納まり、その時初めてプラグブレード（１）と導電片（２）が接触し電気の供給がなされる構成としたものである。
【発明を実施するための最良の形態】
【００１８】以下本発明を図示の実施形態に基づいて説明する。【００１９】  図１は本発明のプラグ（５）差し込み前の平面図、図２は本発明のプラグ（５）が絶縁体（４）にあたった状態を示す平面図、図３は本発明のプラグブレード（１）が両側の絶縁体（４）を押し広げている状態を示す平面図、図４は本発明のプラグ（５）がレセプタクル（６）に完全に差し込み終わった状態を示す平面図、図５は本発明のプラグ（５）差し込み前の電極部分を示す斜視図、図６はプラグブレード（１）が絶縁体（４）にあたった時の電極部分を示す斜視図、図７はレセプタクル（６）にプラグ（５）を差し込んでいる途中の電極部分を示す斜視図、図８はレセプタクル（６）にプラグ（５）が完全に差し込まれた状態の電極部分を示す斜視図である。【００２０】  この危険防止電気コンセントは従来と同様に、レセプタクル（６）にプラグ（５）を差し込んだとき、そのプラグ側電極としてのプラグブレード（１）が内部の電力供給用電極としての導電片（２）と弾性的に接触して電力の供給が行われる構造であるが、プラグ（５）をレセプタクル（６）の奥まで差し込まないと電力の供給が行われない構造になっている点で従来品と異なる。【００２１】  すなわち、プラグ側電極としてのプラグブレード（１）の先端にあいている穴（３）に容易に納まる大きさの、曲面を持つ絶縁体（４）を、コンセント側電極としての導電片（２）の双方の先端部に曲面が向い合うように取付ける構造とし、レセプタクル（６）にプラグ（５）を差し込んだとき、その導電片（２）の絶縁体（４）にあたり、プラグブレード（１）がその両方の絶縁体（４）を弾性的に押し広げて、やがてプラグブレード（１）の先端にあいている穴（３）に絶縁体（４）が納まり、その時初めてプラグブレード（１）と導電片（２）が接触する。なお、この例では商業電源を扱うレセプタクル（６）内に導電片（２）を設け、家庭用の電力供給用コンセントを構成している。
【実施例】
【００２２】  以下、本発明の実施例について説明する。【００２３】  プラグ側電極としてのプラグブレード（１）の先端にあいている穴（３）に容易に納まる大きさの、曲面を持つ絶縁体（４）を、コンセント側電極としての導電片（２）の先端部に曲面が向い合うように、導電片（２）の先端よりも絶縁体（４）の方が出るように取付ける。【００２４】  レセプタクル（６）にプラグ（５）を差し込んだとき、上記の導電片（２）の先端に取付けた絶縁体（４）にあたり、絶縁体（４）の持つ曲面の効果により、プラグブレード（１）がその両方の絶縁体（４）を弾性的に押し広げて、やがてプラグブレード（１）の先にあいている穴（３）に絶縁体（４）がプラグブレード（１）の両側から納まり、その時初めてプラグブレード（１）と導電片（２）が接触し電気の供給がなされる。【００２５】  このような機能を有するコンセントは、プラグ電極に電力を供給するコンセント側の電極にプラグ（５）が奥まで差し込まれていない状態、つまり途中までしか差し込まれていない状態では、プラグブレード（１）は絶縁体（４）に接触するだけで導電片（２）とは直接触れ合わない。【００２６】  従って、本発明の危険防止電気コンセントによれば、プラグブレード（１）をレセプタクル（６）の奥まで差し込んだとき初めて電力の供給が行われる構造、つまりプラグ（５）を奥まで差し込まないと電力供給をなされない構造の危険防止電気コンセント、例えば家庭用コンセントが得られる。【００２７】  本発明の危険防止電気コンセントは、プラグ（５）を奥まで差し込まないと電力供給がなされない構造であり、従来のようにプラグ（５）の電極が通電状態で露出することがないため、冷蔵庫、洗濯機などの大型家電製品の裏に配設された場合でも、埃による短絡事故を未然に防止することができる。【００２８】  本発明の危険防止電気コンセントは、電力供給を独立したスイッチを有せず、電力供給の可、不可をプラグの差し込みのみで行う構造のコンセントとしても使用することができる。【００２９】  また、本発明の危険防止電気コンセントは、簡単な構造なので、安価にできる上に故障しにくいということがいえる。
【図面の簡単な説明】
【００３０】
【図１】    本発明の、プラグをレセプタクルに差し込む前の状態を示す平面図
【図２】    本発明の、プラグブレードの先端が絶縁体にあたった状態を示す平面図
【図３】    本発明の、プラグブレードが絶縁体を押し広げている状態を示す平面図
【図４】    本発明の、プラグがレセプタクルに完全に差し込み終わった状態を示す平面図
【図５】    本発明の、プラグをレセプタクルに差し込む前の電極部分を示す斜視図
【図６】    本発明の、プラグブレードの先端が絶縁体にあたった状態の電極部分を示す斜視図
【図７】    本発明の、プラグブレードが絶縁体を押し広げている途中の電極部分を示す斜視図
【図８】    本発明の、プラグがレセプタクルに完全に差し込み終わった状態の電極部分を示す斜視図
【符号の説明】
【００３１】  １  プラグブレード
２  導電片
３  穴
４  絶縁体
５  プラグ
６  レセプタクル
【図１】
2005294235.tif 000003
【図２】
2005294235.tif 000004
【図３】
2005294235.tif 000005
【図４】
2005294235.tif 000006
【図５】
2005294235.tif 000007
【図６】
2005294235.tif 000008
【図７】
2005294235.tif 000009
【図８】
2005294235.tif 000010